(57)【要約】      （修正有）【課題】十分なインキ流出性が得られるとともに、筆記時の安定したボールの回転と、ボール脱落の発生を抑えた十分なボール保持力とが得られるボールペンチップを提供する。【解決手段】合成樹脂製のチップ本体２と、前記チップ本体２の前端に一体に形成された内向きの前端縁部３と、前記前端縁部３の後方のチップ本体２の内部に一体に形成されたボール受け座４と、前記前端縁部３と前記ボール受け座４との間で回転可能に抱持されたボール５と、を備えたボールペンチップであって、前記前端縁部３に、複数のインキ流通溝が軸方向に貫設され、前記複数のインキ流通溝の各々が周方向に分散配置されてなる。【選択図】図１
2019010842.tif 000002
【特許請求の範囲】
【請求項１】
合成樹脂製のチップ本体と、前記チップ本体の前端に一体に形成された内向きの前端縁部と、前記前端縁部の後方のチップ本体の内部に一体に形成されたボール受け座と、前記前端縁部と前記ボール受け座との間で回転可能に抱持されたボールと、を備えたボールペンチップであって、前記前端縁部に、複数のインキ流通溝が軸方向に貫設され、前記複数のインキ流通溝の各々が周方向に分散配置されてなることを特徴とするボールペンチップ。
【請求項２】
前記複数のインキ流通溝の各々が周方向に等間隔に分散配置されてなる請求項１に記載のボールペンチップ。
【請求項３】
前記前端縁部が、周方向に等間隔に分散配置される複数の内向突起と、前記内向突起の相互間に形成される前記インキ流通溝とを備え、前記各々の内向突起の頂部の周方向の幅寸法が、前記各々のインキ流通溝の周方向の幅寸法より大きい請求項２に記載のボールペンチップ。
【請求項４】
前記前端縁部の各々の内向突起の径方向の頂部が平面視で円弧状であり、前記各々の内向突起の径方向の頂部が軸心を中心とする一つ円の一部を構成する請求３に記載のボールペンチップ。
【請求項５】
前記前端縁部の各々の内向突起の径方向の頂部が平面視で直線状であり、前記各々の内向突起の隣り合う直線状の頂部により前記インキ流通溝の両側面が構成される請求項３記載のボールペンチップ。
【発明の詳細な説明】
【技術分野】
【０００１】
本発明は、ボールペンチップに関する。
【背景技術】
【０００２】
この種のボールペンチップにおいて、特許文献１には、合成樹脂よりなる本体前端のボール抱持部の底部のボール受座に軸方向に沿って複数個の放射状溝を設けてインキ流出孔と連通せしめてなる水溶性インキボールペンのボールペンチップが開示されている。
【先行技術文献】
【特許文献】
【０００３】
【特許文献１】特公昭６２−１６８３７号公報
【発明の概要】
【発明が解決しようとする課題】
【０００４】
前記特許文献１のボールペンチップは、筆記時のインキ流出性を向上させるために（例えば、比較的大きな着色剤粒子を有するインキを容易に吐出させるために）、前端縁部とボール受け座との間のボール抱持部内におけるボールの径方向の移動可能量を大きく設定すると、筆記時にボールががたつき、安定したボールの回転が得られず、筆記感が不安定となるとともに、前端縁部の開口部が大きくなり、ボール保持力が低下し、ボールが外部に脱落するおそれがある。
【０００５】
本発明は、前記従来の問題点を解決するものであって、十分なインキ流出性が得られるとともに、筆記時の安定したボールの回転と、ボール脱落の発生を抑えた十分なボール保持力とが得られるボールペンチップを提供しようとするものである。尚、本発明で、「前」とは、ボールペンチップ前端側を指し、「後」とは、その反対側を指す。
【課題を解決するための手段】
【０００６】
本願の第１の発明は、合成樹脂製のチップ本体２と、前記チップ本体２の前端に一体に形成された内向きの前端縁部３と、前記前端縁部３の後方のチップ本体２の内部に一体に形成されたボール受け座４と、前記前端縁部３と前記ボール受け座４との間で回転可能に抱持されたボール５と、を備えたボールペンチップであって、前記前端縁部３に、複数のインキ流通溝３２が軸方向に貫設され、前記複数のインキ流通溝３２の各々が周方向に分散配置されてなることを要件とする。
【０００７】
前記第１の発明のボールペンチップ１は、前記前端縁部３に、複数のインキ流通溝３２が軸方向に貫設され、前記複数のインキ流通溝３２の各々が周方向に分散配置されてなることにより、前端縁部３とボール受け座４との間のボール抱持部内におけるボール５の径方向の移動可能量を大きく設定することなく、十分なインキ流出性が得られるとともに、筆記時の安定したボール５の回転と、ボール５の脱落の発生を抑えた十分なボール保持力と、が得られる。また、前記第１の発明のボールペンチップ１は、前記複数のインキ流通溝３２の各々が周方向に分散配置されてなることにより、筆記方向によってインキ吐出性がばらつくことがなく、筆記方向によらず安定したインキ吐出量が得られる。
【０００８】
本願の第２の発明は、前記第１の発明のボールペンチップ１において、前記複数のインキ流通溝３２の各々が周方向に等間隔に分散配置されてなることを要件とする。
【０００９】
前記第２の発明のボールペンチップは、前記複数のインキ流通溝３２の各々が周方向に等間隔に分散配置されてなることにより、一層、筆記方向によってインキ吐出性がばらつくことがなく、筆記方向によらず安定したインキ吐出量が得られる。
【００１０】
本願の第３の発明は、前記第２の発明のボールペンチップ１において、前記前端縁部３が、周方向に等間隔に分散配置される複数の内向突起３１と、前記内向突起３１の相互間に形成される前記インキ流通溝３２とを備え、前記各々の内向突起３１の頂部の周方向の幅寸法Ａが、前記各々のインキ流通溝３２の周方向の幅寸法Ｂより大きいことを要件とする。
【００１１】
前記第３の発明のボールペンチップ１は、前記各々の内向突起３１の頂部の周方向の幅寸法Ａが、前記各々のインキ流通溝３２の周方向の幅寸法Ｂより大きいことにより、前記前端縁部３の複数の内向突起３１によって、十分なボール保持力が得られ、ボール脱落の発生を抑えることができる。
【００１２】
本願の第４の発明は、前記第３の発明のボールペンチップ１において、前記前端縁部３の各々の内向突起３１の径方向の頂部が、平面視で円弧状であり、前記各々の内向突起３１の径方向の頂部が軸心を中心とする一つ円の一部を構成することを要件とする。
【００１３】
前記第４の発明のボールペンチップ１は、前記前端縁部３の各々突起の径方向の頂部が平面視で円弧状であり、前記各々突起の径方向の頂部が軸心を中心とする一つ円の一部を構成することにより、筆記時にボールが軸心から外れることがなく、安定したボールの回転が得られる。
【００１４】
本願の第５の発明は、前記第３の発明のボールペンチップ１において、前記前端縁部３の各々の内向突起３１の径方向の頂部が平面視で直線状であり、前記各々の内向突起３１の隣り合う直線状の頂部により前記インキ流通溝３２の両側面が構成されることを要件とする。
【００１５】
前記第５の発明のボールペンチップ１は、前記前端縁部３の各々の内向突起３１の径方向の頂部が、平面視で直線状であり、前記各々の内向突起３１の隣り合う直線状の頂部により前記インキ流通溝３２の両側面が構成されることにより、筆記時にボールが軸心から外れることがなく、安定したボールの回転が得られる。
【発明の効果】
【００１６】
本発明のボールペンチップは、十分なインキ流出性が得られるとともに、筆記時の安定したボールの回転と、ボール脱落の発生を抑えた十分なボール保持力と、が得られる。
【図面の簡単な説明】
【００１７】
【図１】本発明の実施の形態のボールペンチップの縦断面図である。
【図２】本発明の第１の実施の形態の要部拡大縦断面図である。
【図３】図２のボールを省略したチップ本体の平面図である。
【図４】本発明の第２の実施の形態の要部拡大縦断面図である。
【図５】図４のボールを省略したチップ本体の平面図である。
【図６】本発明のボールペンチップを使用したボールペンの実施の形態を示す縦断面図である。
【発明を実施するための形態】
【００１８】
＜第１の実施の形態＞
本発明のボールペンチップ１の第１の実施の形態を図１乃至図３に示す。
【００１９】
本実施の形態のボールペンチップ１は、合成樹脂製のチップ本体２と、該チップ本体２の前端に回転可能に抱持されるボール５とを備える。前記チップ本体２の前端には径方向内方に突出する内向きの前端縁部３が一体に形成され、前記チップ本体２の内部にはボール受け座４が一体に形成される。前記前端縁部３と前記ボール受け座４との間にボール抱持部が形成され、前記ボール抱持部で、ボール５が回転可能に抱持される。
【００２０】
前記チップ本体２は、例えば、ポリアセタール樹脂の射出成形により得られる。前記ボール５は直径０．７ｍｍのものが採用される。前記ボール５の材質は特に限定されないが、一般に金属またはセラミックスからなるものが用いられる。前記ボール５は、例えば、炭化タングステン、酸化ジルコニウム、酸化アルミニウム、酸化ケイ素、炭化ケイ素などのセラミックスやステンレス鋼などの金属が用いられる。また、前記ボール５は、セラミックスと金属性結合材とからなる超硬合金を用いてもよい。このような超硬合金としては、タングステンカーバイトと、コバルトまたはニッケルなどの金属性結合材とからなるものが知られている。
【００２１】
・前端縁部
前記前端縁部３は、周方向に等間隔に分散配置された複数（例えば８個）の内向突起３１と、該内向突起３１の相互間に周方向に等間隔に分散配置される複数（例えば８個）のインキ流通溝３２とを備える。前記インキ流通溝３２は、前端縁部３に軸方向に貫設される。前記インキ流通溝３２は、一端が外部に開口され、他端がボール抱持部の内部に開口される。
【００２２】
前記各々の内向突起３１の頂部の周方向の幅寸法Ａは、前記各々のインキ流通溝３２の周方向の幅寸法Ｂより大きく設定される。具体的には、前記各々の内向突起３１の頂部の周方向の幅寸法Ａは０．１６ｍｍに設定され、前記各々のインキ流通溝３２の周方向の幅寸法Ｂは、０．１ｍｍに設定される。各々内向突起３１の径方向の頂部が軸心に対して対称位置にあり、前記各々のインキ流通溝３２は、軸心に対して対称位置にある。
【００２３】
前記前端縁部３の各々突起の径方向の頂部が平面視で円弧状であり、前記各々の内向突起３１の径方向の頂部が軸心を中心とする一つ円の一部を構成する。それにより、筆記時にボール５が軸心から外れることがなく、安定したボール５の回転が得られる。
【００２４】
前記各々内向突起３１の径方向の頂部が構成する軸心を中心とする一つ円の直径は、ボール５の直径よりわずかに小さく形成される。前記各々の内向突起３１の径方向の頂部が構成する軸心を中心とする一つ円の直径は、具体的には、０．６６５ｍｍに設定される。前記一つ円の直径は、ボール５の直径の９３％〜９７％に設定されることが好ましく、それにより、十分なインキ流出と、十分なボール脱落防止を満足できる。
【００２５】
前記各々のインキ流通溝３２の径方向の底部が平面視で円弧状であり、前記各々のインキ流通溝３２の径方向の底部が軸心を中心とする一つ円の一部を構成する。前記各々のインキ流通溝３２の径方向の底部が構成する軸心を中心とする一つ円の直径は、ボール抱持部の側面の内径よりわずかに小さく形成される。前記各々のインキ流通溝３２の径方向の底部が構成する軸心を中心とする一つ円の直径は、具体的には、０．７１ｍｍに設定され、ボール抱持部の側面内径は、０．７４ｍｍに設定される。
【００２６】
前記各々のインキ流通溝３２の径方向の底部が構成する軸心を中心とする一つ円の内径は、ボール５の直径と同程度の寸法にすること（例えば、ボール５の直径の９８％〜１０２％に設定すること）が好ましい。それにより、十分なインキ流出性が得られるとともに、ボール脱落の発生を確実に抑えることができる。
【００２７】
・ボール受け座
前記ボール受け座４は、前方に向かうに従い拡径する形状の円錐状内面より形成される。
前記ボール受け座４には、軸心に軸方向に貫設される中心孔４１と、該中心孔４１より径方向外方に放射状に延び且つ軸方向に貫設される複数（例えば４本）のインキ誘導溝４２とが形成される。また、平面視で、前記ボール受け座４のインキ誘導溝４２の周方向の位置と、前記前端縁部３のインキ流通溝３２の周方向の位置とが一致され、それにより、インキ誘導溝４２からインキ流通溝３２へ迅速なインキ供給が可能となる。前記インキ誘導溝４２の周方向の幅寸法Ｃは、前記インキ流通溝３２の周方向の幅寸法Ｂより小さく設定されることが好ましい。それにより、ボールへのスムーズなインキ供給が得られる。
【００２８】
筆記時、ボール５がボール受け座４に回転可能に接触され、ボール受け座４の中心孔４１及びインキ誘導溝４２を通って後方よりインキがボール抱持部内に供給され、さらに、ボール抱持部内のインキは、インキ流通溝３２、及び内向突起３１頂部とボール５との隙間から外部に迅速に流出される。それにより、筆跡途切れのない、十分なインキ流出量が得られる。
【００２９】
本実施の形態のボールペンチップ１は、前記前端縁部３に、複数のインキ流通溝３２が軸方向に貫設され、前記複数のインキ流通溝３２の各々が周方向に等間隔に分散配置されてなることにより、前端縁部３とボール受け座４との間のボール抱持部内におけるボール５の径方向の移動可能量を大きく設定することなく、十分なインキ流出性が得られるとともに、筆記時の安定したボールの回転と、ボールの脱落の発生を抑えた十分なボール保持力とが得られる。また、前記第１の発明のボールペンチップ１は、前記複数のインキ流通溝３２の各々が周方向に等間隔に分散配置されてなることにより、筆記方向によってインキ吐出性がばらつくことがなく、筆記方向によらず安定したインキ吐出量が得られる。
【００３０】
本実施の形態のボールペンチップ１は、前記各々の内向突起３１の頂部の周方向の幅寸法Ａが、前記各々のインキ流通溝３２の周方向の幅寸法Ｂより大きいことにより、前記前端縁部３の複数の内向突起３１によって、十分なボール保持力が得られ、ボール脱落の発生を抑えることができる。
【００３１】
本実施の形態のボールペンチップ１は、前記前端縁部３の各々突起の径方向の頂部が平面視で円弧状であり、前記各々突起の径方向の頂部が軸心を中心とする一つ円の一部を構成することにより、筆記時にボールが軸心から外れることがなく、安定したボールの回転が得られる。
【００３２】
＜第２の実施の形態＞
本発明のボールペンチップ１の第２の実施の形態を図１、図４及び図５に示す。
【００３３】
本実施の形態のボールペンチップ１は、合成樹脂製のチップ本体２と、該チップ本体２の前端に回転可能に抱持されるボール５とを備える。前記チップ本体２の前端には径方向内方に突出する内向きの前端縁部３が一体に形成され、前記チップ本体２の内部にはボール受け座４が一体に形成される。前記前端縁部３と前記ボール受け座４との間にボール抱持部が形成され、前記ボール抱持部で、ボールが回転可能に抱持される。
【００３４】
前記チップ本体２は、例えば、ポリアセタール樹脂の射出成形により得られる。前記ボール５は直径０．７ｍｍのものが採用される。前記ボール５の材質は特に限定されないが、一般に金属またはセラミックスからなるものが用いられる。前記ボール５は、例えば、炭化タングステン、酸化ジルコニウム、酸化アルミニウム、酸化ケイ素、炭化ケイ素などのセラミックスやステンレス鋼などの金属が用いられる。また、前記ボール５は、セラミックスと金属性結合材とからなる超硬合金を用いてもよい。このような超硬合金としては、タングステンカーバイトと、コバルトまたはニッケルなどの金属性結合材とからなるものが知られている。
【００３５】
・前端縁部
前記前端縁部３は、周方向に等間隔に分散配置された複数（例えば８個）の内向突起３１と、該内向突起３１の相互間に周方向に等間隔に分散配置される複数（例えば８個）のインキ流通溝３２とを備える。前記インキ流通溝３２は、前端縁部３に軸方向に貫設される。前記インキ流通溝３２は、一端が外部に開口され、他端がボール抱持部の内部に開口される。
【００３６】
前記各々の内向突起３１の頂部の周方向の幅寸法Ａは、前記各々のインキ流通溝３２の周方向の幅寸法Ｂより大きく設定される。具体的には、前記各々の内向突起３１の頂部の周方向の幅寸法Ａは０．１９ｍｍに設定され、前記各々のインキ流通溝３２の周方向の幅寸法Ｂは、０．０８ｍｍに設定される。各々内向突起３１の径方向の頂部が軸心に対して対称位置にあり、前記各々のインキ流通溝３２は、軸心に対して対称位置にある。
【００３７】
前記前端縁部３の各々の内向突起３１の径方向の頂部が平面視で直線状であり、前記各々の内向突起３１の径方向の頂部が軸心に対して対称位置にあり、前記各々の内向突起３１の隣り合う直線状の頂部により前記インキ流通溝３２の両側面が構成される。それにより、筆記時にボール５が軸心から外れることがなく、安定したボール５の回転が得られる。
【００３８】
前記各々の内向突起３１の径方向の頂部に接する内接円の直径は、ボール５の直径よりわずかに小さく形成される。前記各々の内向突起３１の径方向の頂部に接する内接円の直径は、具体的には、０．６６５ｍｍに設定される。前記内接円の直径は、ボール５の直径の９３％〜９７％に設定されることが好ましく、それにより、十分なインキ流出と、十分なボール脱落防止を満足できる。
【００３９】
前記各々のインキ流通溝３２の径方向の底部が平面視で円弧状であり、前記各々のインキ流通溝３２の径方向の底部が軸心を中心とする一つ円の一部を構成する。前記各々のインキ流通溝３２の径方向の底部が構成する軸心を中心とする一つ円の直径は、ボール抱持部の側面の内径よりわずかに小さく形成される。前記各々のインキ流通溝３２の径方向の底部が構成する軸心を中心とする一つ円の直径は、具体的には、０．６９ｍｍに設定され、ボール抱持部の側面内径は、０．７４ｍｍに設定される。
【００４０】
前記各々のインキ流通溝３２の径方向の底部が構成する軸心を中心とする一つ円の内径は、ボール５の直径と同程度の寸法にすること（例えば、ボール５の直径の９８％〜１０２％に設定すること）が好ましい。それにより、十分なインキ流出性が得られるとともに、ボール脱落の発生を確実に抑えることができる。
【００４１】
・ボール受け座
前記ボール受け座４は、前方に向かうに従い拡径する形状の円錐状内面より形成される。
前記ボール受け座４には、軸心に軸方向に貫設される中心孔４１と、該中心孔４１より径方向外方に放射状に延び且つ軸方向に貫設される複数（例えば４本）のインキ誘導溝４２とが形成される。
【００４２】
筆記時、ボール５がボール受け座４に回転可能に接触され、ボール受け座４の中心孔４１及びインキ誘導溝４２を通って後方よりインキがボール抱持部内に供給され、さらに、ボール抱持部内のインキは、インキ流通溝３２、及び内向突起３１頂部とボール５との隙間から外部に迅速に流出される。それにより、筆跡途切れのない、十分なインキ流出量が得られる。前記インキ誘導溝４２の周方向の幅寸法Ｃ、前記インキ流通溝３２の周方向の幅寸法Ｂより小さく設定されることが好ましい。それにより、ボール５へのスムーズなインキ供給が得られる。
【００４３】
本実施の形態のボールペンチップ１は、前記前端縁部３に、複数のインキ流通溝３２が軸方向に貫設され、前記複数のインキ流通溝３２の各々が周方向に等間隔に分散配置されてなることにより、前端縁部３とボール受け座４との間のボール抱持部内におけるボール５の径方向の移動可能量を大きく設定することなく、十分なインキ流出性が得られるとともに、筆記時の安定したボールの回転と、ボールの脱落の発生を抑えた十分なボール保持力とが得られる。また、前記第１の発明のボールペンチップ１は、前記複数のインキ流通溝３２の各々が周方向に等間隔に分散配置されてなることにより、筆記方向によってインキ吐出性がばらつくことがなく、筆記方向によらず安定したインキ吐出量が得られる。
【００４４】
本実施の形態のボールペンチップ１は、前記各々の内向突起３１の頂部の周方向の幅寸法Ａが、前記各々のインキ流通溝３２の周方向の幅寸法Ｂより大きいことにより、前記前端縁部３の複数の内向突起３１によって、十分なボール保持力が得られ、ボール脱落の発生を抑えることができる。
【００４５】
本実施の形態のボールペンチップ１は、前記前端縁部３の各々の内向突起３１の径方向の頂部が平面視で直線状であり、各々内向突起３１の径方向の頂部が軸心に対して対称位置にあり、前記各々の内向突起３１の隣り合う直線状の頂部により前記インキ流通溝３２の両側面が構成されることにより、筆記時にボールが軸心から外れることがなく、安定したボールの回転が得られる。
【００４６】
＜ボールペンの例＞
図６に本発明のボールペンチップ１（第１及び第２の実施の形態のボールペンチップ）を用いたボールペンを示す。
ボールペンは、ボールペンチップ１と、該ボールペンチップ１が前端に取り付けられた軸筒６と、該軸筒６内に収容され、インキが含浸可能な繊維加工体からなるインキ吸蔵体７と、該インキ吸蔵体７の前端に後端が接続され且つボールペンチップ１のボール受け座４の中心孔４１及びインキ誘導溝４２に前端が接続される繊維加工体よりなるインキ誘導部材８と、軸筒６の後端に固着される尾栓９とからなる。前記ボールペンチップ１が、軸筒６の前端開口部に圧入固着され、前記尾栓９が軸筒６の後端開口部に圧入固着される。前記インキ吸蔵体７の前端は、軸筒６内部の当接壁部に当接され、前記インキ吸蔵体７の後端は、尾栓９の前端に当接される。
【符号の説明】
【００４７】
１  ボールペンチップ
２  チップ本体
３  前端縁部
３１  内向突起
３２  インキ流通溝
４  ボール受け座
４１  中心孔
４２  インキ誘導溝
５  ボール
６  軸筒
７  インキ吸蔵体
８  インキ誘導部材
９  尾栓
Ａ  内向突起の頂部の周方向の幅寸法
Ｂ  インキ流通溝の周方向の幅寸法
Ｃ  インキ誘導溝の周方向の幅寸法
【図１】
2019010842.tif 000003
【図２】
2019010842.tif 000004
【図３】
2019010842.tif 000005
【図４】
2019010842.tif 000006
【図５】
2019010842.tif 000007
【図６】
2019010842.tif 000008